(57)【要約】【課題】  シャンプー等を収納することができると共に、シャンプー等を収納したまま使用することができる風呂用腰掛けを提供する。【解決手段】  腰掛本体１の前側面２ａに、シャンプー等のポンプ式容器１０を収納する容器収納部８を設ける。この容器収納部８に、シャンプー等のポンプ式容器１０を傾斜角を持って収納する。シャンプー等のポンプ式容器１０を傾斜角を持って収納すると、ポンプ式容器１０の先端の注出口１１が側面２ａから突出する。このように、ポンプ式容器１０の注出口１１が側面２ａから突出するため、シャンプー等のポンプ式容器１０が邪魔にならないと共に、ポンプ式容器１０を収納したまま、注出口１１を手で押して、シャンプー等の液体を手のひらに出すことができる。【選択図】        図１
0003109185.tif 000002
【実用新案登録請求の範囲】
【請求項１】
前後左右の側面のうちの少なくとも１つの側面にポンプ式容器に入った風呂用物品を傾斜角を持って収納する容器収納部を有し、
前記ポンプ式容器に入った風呂用物品を前記容器収納部に収納させたときに、前記ポンプ式容器の先端の注出口が前記側面から突出されることを特徴とする風呂用腰掛け。
【請求項２】
前記ポンプ式容器に入った風呂用物品は、シャンプー、リンス、ボディシャンプー、又はコンディショナーであることを特徴とする請求項１に記載の風呂用腰掛け。
【請求項３】
前記容器収納部を、前後左右の側面のうち少なくとも１つの側面に、複数個並べて配置するようにしたことを特徴とする請求項１に記載の風呂用腰掛け。
【請求項４】
更に、前後左右の側面のうちで前記容器収納部が設けられた側面以外の１つの側面に、固形石鹸を収納する石鹸収納部を設けるようにしたことを特徴とする請求項１に記載の風呂用腰掛け。
【請求項５】
前記石鹸収納部は、前記側面に回動自在に取り付けられるようにしたことを特徴とする請求項４に記載の風呂用腰掛け。
【考案の詳細な説明】
【技術分野】
【０００１】
本考案は、シャンプー等の風呂用物品を収納することができる風呂用腰掛けに関するもので、特に、シャンプー等を収納したまま使用することができるようにしたものに関する。
【背景技術】
【０００２】
近年の集合住宅では、限られたスペースを有効利用して、十分なスペースのダイニングルームやリビングルームが確保されている。その反面、風呂場のスペースは意外に狭く、十分な洗い場が確保されていないことが多い。このような狭い風呂場では、シャンプー、リンス、ボディシャンプー、コンディショナー等（以下、シャンプー等と称する）、風呂用物品の置き場に困る。
【０００３】
そこで、特許文献１〜特許文献３に示すように、シャンプー等を風呂用の腰掛けの中に収納できるようにしたものが提案されている。
【０００４】
特許文献１に示されるものは、石鹸置き部とボトル入りシャンプー等置き部を設けることによって、風呂用腰掛けに石鹸とシャンプーを収納し、風呂場で、無駄なスペースの残らない状態に整理することを可能にするものであり、省スペース化に多大に貢献するものである。
【０００５】
特許文献２及び特許文献３に示されるものは、腰掛け台の底部に小物入れを設け、石鹸等を収納し、小物入れを引き出せるようにしたものである。
【０００６】
特許文献４に示されるものは、道具容れを回動可能且つ係脱可能に保持する係合部を設けることによって、その道具容れの中の風呂道具を容易に出し入れするようにしたものである。
【特許文献１】実用新案登録第２５１１００１号公報
【特許文献２】実開昭６１−１７４４８７号公報
【特許文献３】実開昭６１−１７４４８６号公報
【特許文献４】実公昭４７−３３７９９号公報
【考案の開示】
【考案が解決しようとする課題】
【０００７】
しかしながら、これら特許文献１〜特許文献４に示されるものは、何れも、シャンプー等の風呂用物品を腰掛けの中に収納し、使用時に、腰掛けの中からこれらを取り出すものである。特許文献１〜特許文献４に示されているものは、風呂に入る度に、シャンプー等を腰掛けから取り出す必要があり、シャンプー等の出し入れがめんどうである。また、シャンプー等を腰掛けの中に収納してしまうと、頭髪を洗浄しているときには、目が開けず、手探りでシャンプー等を探すことが困難である。
【０００８】
本考案は、上述の従来の課題を鑑み、シャンプー等を収納することができると共に、シャンプー等を収納したまま使用することができる風呂用腰掛けを提供することを目的とする。
【課題を解決するための手段】
【０００９】
上述の課題を解決するために、本考案に係る風呂用腰掛けは、前後左右の側面のうちの少なくとも１つの側面にポンプ式容器に入った風呂用物品を傾斜角を持って収納する容器収納部を有し、ポンプ式容器に入った風呂用物品を容器収納部に収納させたときに、ポンプ式容器の先端の注出口が側面から突出されることを特徴とする。
【００１０】
好ましくは、容器収納部を、前後左右の側面のうち少なくとも１つの側面に、複数個並べて配置するようにしたことを特徴とする。
【００１１】
好ましくは、更に、前後左右の側面のうちで前記容器収納部が設けられた側面以外の１つの側面に、固形石鹸を収納する石鹸収納部を設けるようにしたことを特徴とする。
【００１２】
好ましくは、石鹸収納部は、風呂用腰掛けの側面に回動自在に取り付けるようにしたことを特徴とする。
【考案の効果】
【００１３】
本考案によれば、前後左右の側面のうちの少なくとも１つの側面にポンプ式容器に入った風呂用物品を傾斜角を持って収納する容器収納部を有し、ポンプ式容器に入った風呂用物品を容器収納部に収納させたときに、ポンプ式容器の先端の注出口が側面から突出されるようにしている。このように、ポンプ式容器が傾斜角を有する状態で収納され、その注出口が側面から突出しているため、シャンプー等のポンプ式容器が邪魔にならないと共に、ポンプ式容器を収納したまま、注出口を手で押して、シャンプー等の液体を手のひらに出すことができる。
【００１４】
また、本考案によれば、ポンプ式容器に入った風呂用物品として、シャンプー、リンス、ボディシャンプー、又はコンディショナー等を収納することができる。
【００１５】
また、本考案によれば、容器収納部を、前後左右の側面のうち少なくとも１つの側面に、複数個並べて配置するようにしている。このように複数の容器収納部を設けると、シャンプー、リンス、ボディーソープ、コンディショナー等の収納位置を決めておけば、手探りでも、シャンプー、リンス、ボディーソープ、コンディショナー等を、間違わずに、手に出すことができる。
【００１６】
また、本考案によれば、前後左右の側面のうちの他の１つの側面に、固形石鹸を収納する石鹸収納部を設けるようにしているので、固形石鹸の置き場に困らない。
【００１７】
また、本考案によれば、石鹸収納部は、前後左右の側面のうちの他の１つの側面に回動自在に取り付けるようにしているので、片手で固形石鹸を手に取ることができる。
【考案を実施するための最良の形態】
【００１８】
第１実施形態．
以下、本考案の実施の形態について、図面を参照しながら説明する。図１（Ａ）及び図１（Ｂ）は、本考案の第１実施形態を示すものである。図１（Ａ）及び図１（Ｂ）において、腰掛本体１は、前側面２ａ及び後側面２ｂと、右側面２ｃ及び左側面２ｄと、座面３と、底面４とを有している。座面３の後側縁には、隆起部５が設けられる。この隆起部５は、使用者が腰掛本体１に座ったときに、使用者の臀部から腰の部分をフィットさせるものである。これと共に、この隆起部５に、把手６が設けられている。また、座面３には、水切りのための凹部７が設けられる。このような腰掛本体１は、例えば、合成樹脂により一体成形される。
【００１９】
腰掛本体１の前側面２ａには、図１（Ａ）に示すように、容器収納部８が設けられる。この容器収納部８に、図１（Ｂ）に示すように、シャンプー等のポンプ式容器１０が傾斜した状態で収納される。
【００２０】
図２は、本考案の第１実施形態における容器収納部８の構成を示す分解斜視図である。容器収納部８は、図２に示すように、腰掛本体１の前側面２ａの開口１５に、Ｌ字状部材１７を取り付けて構成される。
【００２１】
すなわち、腰掛本体１の前側面２ａには、図２に示すように、開口１５が形成される。開口１５の両側縁には、軸受部１６ａ及び１６ｂが形成されている。この開口１５内に、Ｌ字状部材１７が回動自在に取り付けられる。
【００２２】
Ｌ字状部材１７は、ポンプ式容器１０の側面を保持する支持板１８と、ポンプ式容器１０の底面を支持する支持板１９とを有している。支持板１８の上端には、外方に突出する突起２０ａ及び２０ｂが形成される。図２に示すように、Ｌ字状部材１７が開口１５内に挿入され、Ｌ字状部材１７の突起２０ａ及び２０ｂと、開口１５の軸受部１６ａ及び１６ｂとが回動自在に係合される。
【００２３】
開口１５内にポンプ式容器１０を載せたＬ字状部材１７を挿入して、Ｌ字状部材１７を下方に回動させると、図３に示すように、Ｌ字状部材１７の角部１７ａは腰掛本体１の底面４に当接し、Ｌ字状部材１７が傾斜角θを有する状態で固定される。シャンプー等のポンプ式容器１０は、図３に示すように、Ｌ字状部材１７の支持板１９によりその底面が保持され、Ｌ字状部材１７の支持板１８によりその側面が保持され、底面４に対して傾斜角θを有する状態で保持される。
【００２４】
このように、本考案の第１実施形態では、シャンプー、リンス、ボディシャンプー、又はコンディショナー等のポンプ式容器１０が腰掛本体１の前側面２ａの容器収納部８に、傾斜角を有する状態で収納される。このとき、図３に示すように、ポンプ式容器１０の容器部１２の殆どは腰掛本体１内に収納されるが、その注出口１１は、前側面２ａから突出する。ポンプ式容器１０の注出口１１が前側面２ａから突出するため、使用者は、ポンプ式容器１０を収納したまま、注出口１１を手で押して、シャンプー等の液体を手のひらに出すことができる。
【００２５】
風呂で頭髪を洗浄しているときには、目が開けられず、シャンプーを探すのが難しい。この実施形態では、シャンプー等のポンプ式容器１０が腰掛本体１の前側面２ａの容器収納部８内に収納されているため、頭髪を洗浄しながら、シャンプーを簡単に探すことができる。そして、ポンプ式容器１０の注出口１１が前側面２ａから突出しているため、手探りで注出口１１を手で押して、シャンプーを手に出して、頭髪を洗浄することができる。
【００２６】
なお、この例では、図３に示すように、腰掛本体１の前側面２ａが凹面とされている。このように、腰掛本体１の前側面２ａを凹面としておくと、シャンプー等のポンプ式容器１０を腰掛本体１の前側面２ａの容器収納部８に収納したときに、その注出口１１が前側面２ａから突出し易くなる。
【００２７】
なお、上述の実施形態では、腰掛本体１の前側面２ａに容器収納部８を設けたが、腰掛本体１の前側面２ａに限らず、容器収納部８は、後側面２ｂに設けても良いし、右側面２ｃ、左側面２ｄに設けるようにしても良い。
【００２８】
第２実施形態．
図４（Ａ）及び図４（Ｂ）は、本考案の第２実施形態を示すものである。上述の第１実施形態では、腰掛本体１の前側面２ａに１つの容器収納部８を設けている。これに対して、この実施形態では、図４（Ａ）に示すように、腰掛本体１の前側面２ａに、３つの容器収納部８ａ、８ｂ、８ｃを設けるようにしている。
【００２９】
そして、図４（Ｂ）に示すように、シャンプー、リンス、ボディシャンプー、又はコンディショナー等のポンプ式容器１０ａ〜１０ｃが腰掛本体１の前側面２ａの容器収納部８ａ〜８ｃに、それぞれ、傾斜角を有する状態で収納される。このとき、ポンプ式容器１０ａ〜１０ｃの容器部１２ａ〜１２ｃの殆どは腰掛本体１内に収納され、その注出口１１ａ〜１１ｃは、前側面２ａから突出する。他の構成については、前述の第１実施形態と同様であり、その説明を省略する。
【００３０】
この実施形態では、３つの容器収納部８ａ、８ｂ、８ｃが設けられている。このため、シャンプーのポンプ式容器１０ａ、１０ｂ、１０ｃを３つ収納することができる。この場合には、３つの容器収納部８ａ、８ｂ、８ｃに、例えば、シャンプーのポンプ式容器１０ａと、ボディーソープのポンプ式容器１０ｂと、リンスのポンプ式容器１０ｃとをそれぞれ並べて収納することができる。このように、シャンプー、リンス、ボディーソープ、コンディショナー等の収納位置を決めておけば、手探りでも、シャンプー、リンス、ボディーソープ、コンディショナー等を、手探りでも、間違わずに、手に出すことができる。
【００３１】
なお、上述の実施形態では、３つの容器収納部８ａ、８ｂ、８ｃを設けているが、配設される容器収納部の数は、３つに限定されるものではない。また、サイズの異なる容器に合わせて、複数の大きさの容器収納部を配設するようにしても良い。
【００３２】
第３実施形態．
図５は、本考案の第３実施形態を示すものである。この実施形態は、前述の第２実施形態に、更に、腰掛本体１の右側面２ｃに、石鹸収納部２１を設けるようにしたものである。
【００３３】
すなわち、図５（Ａ）に示すように、腰掛本体１の右側面２ｃには、石鹸収納部２１が設けられる。この石鹸収納部２１の石鹸受皿部２６には、図５（Ｂ）に示すように、固形石鹸２２が収納される。
【００３４】
石鹸収納部２１の下方には、支持板２７が設けられる。この支持板２７を押し込むと、石鹸収納部２１の石鹸受皿部２６上の固形石鹸２２が外に転がり落ち、固形石鹸２２を片手で受け取ることができる。
【００３５】
図６及び図７は、石鹸収納部２１の構造を示すものである。図６及び図７に示すように、腰掛本体１の右側面２ｃに、収納空間２３が設けられる。収納空間２３の内部の上方は、図７に示すように、ドーム状に覆われており、その下方は内部に連通している。収納空間２３の両側縁には、図６に示すように、突起２４ａ及び２４ｂが設けられ、収納空間２３の上縁には、図７（Ａ）に示すように、ストッパー３０が設けられる。また、収納空間２３に連通して、溝部２５が設けられる。
【００３６】
石鹸受皿部２６には、図６に示すように、受皿溝部２６ａ、受皿の水を切るための受皿水切り部２６ｂが設けられ、石鹸受皿部２６の下方に支持板２７、ストッパー２９が垂設される。また、石鹸受皿部２６には、軸受部２８ａ及び２８ｂが設けられる。支持板２７が溝部２５から収納空間２３内に挿入され、石鹸受皿部２６の軸受部２８ａ及び２８ｂと、収納空間２３の両側縁の突起２４ａ及び２４ｂとがそれぞれ回動自在に係合される。これにより、腰掛本体１の右側面２ｃに、石鹸収納部２１が形成される。
【００３７】
固形石鹸２２は、図７（Ａ）に示すように、石鹸受皿部２６の上に載置される。固形石鹸２２が石鹸受皿部２６の上に載置されると、固形石鹸２２の自重により、石鹸受皿部２６は、矢印Ａ１方向に回転しようとする。石鹸受皿部２６が矢印Ａ１方向に回転すると、ストッパー２９が腰掛本体１の右側面２ｃに当接する。このため、石鹸受皿部２６に固形石鹸２２を載置したときには、図７（Ａ）に示すように、石鹸受皿部２６が上方を向く位置で固定される。
【００３８】
固形石鹸２２を使用するときには、図７（Ｂ）に示すように、支持板２７を矢印Ｂ１方向に押し込む。支持板２７が矢印Ｂ１方向に押し込まれると、石鹸受皿部２６は矢印Ａ２方向に回転する。これにより、石鹸受皿部２６上の固形石鹸２２が外に転がり落ちる。石鹸受皿部２６から転がり落ちる固形石鹸２２は、片手で簡単に受け取ることができる。
【００３９】
支持板２７を矢印Ｂ１方向に押し込むときに、支持板２７を人指し指若しくは中指で押し込むと、親指は石鹸受皿部２６に設けられた受皿溝部２６ａに沿って導かれる。これにより、固形石鹸２２が外に転がり落ちると共に、固形石鹸２２を握持できる。
【００４０】
石鹸受皿部２６が矢印Ａ２方向に回転するときに、石鹸受皿部２６が矢印Ａ２方向に回転して、右側面２Ｃを越えようとすると、石鹸受皿部２６はストッパー３０に接触する。これにより、石けんは、図７（Ｂ）に示すように、腰掛本体１から外部に飛び出すが、石鹸受皿部２６は腰掛本体１から飛び出すことはない。
【００４１】
以上のように、この実施形態では、腰掛本体１の右側面２ｃに石鹸収納部２１が設けられる。このため、固形石鹸の置き場に困らない。また、石鹸収納部２１の石鹸受皿部２６は回動自在に取り付けられ、支持板２７を押し込むことで、石鹸受皿部２６を回転され、石鹸受皿部２６上の固形石鹸２２を片手で受け取ることができる。
【００４２】
なお、上述の実施形態では、石鹸収納部２１を腰掛本体１の右側面２ｃに設けているが、腰掛本体１の右側面２ｃに限らず、左側面２ｄに設けても良いし、前側面２ａ、後側面２ｂに設けるようにしても良い。また、一箇所に限らず、複数箇所に、石鹸収納部２１を設けるようにしても良い。
【００４３】
本考案は、上述した実施形態に限定されるものではなく、この考案の要旨を逸脱しない範囲内で様々な変形や応用が可能である。
【産業上の利用可能性】
【００４４】
本考案は、家庭用の風呂場で使用される腰掛けに用いられる他、温泉や公衆浴場の腰掛けに用いることができる。
【図面の簡単な説明】
【００４５】
【図１】本考案の第１実施形態の斜視図である。
【図２】本考案の第１実施形態の説明に用いる分解斜視図である。
【図３】本考案の第１実施形態の一部断面図である。
【図４】本考案の第２実施形態の斜視図である。
【図５】本考案の第３実施形態の斜視図である。
【図６】本考案の第３実施形態の説明に用いる分解斜視図である。
【図７】本考案の第３実施形態の説明に用いる一部断面図である。
【符号の説明】
【００４６】
１  腰掛本体
３  座面
４  底面
５  隆起部
６  把手
７  凹部
８、８ａ〜８ｃ  容器収納部
１０、１０ａ〜１０ｃ  ポンプ式容器
１１、１１ａ〜１１ｃ  注出口
１２、１２ａ〜１２ｃ  容器部
１５  開口
１６ａ、１６ｂ  軸受部
１７  Ｌ字状部材
１８  支持板
１９  支持板
２０ａ、２０ｂ  突起
２１  石鹸収納部
２２  固形石鹸
２３  収納空間
２４ａ、２４ｂ  突起
２５  溝部
２６  石鹸受皿部
２６ａ  受皿溝部
２６ｂ  受皿水切り部
２７  支持板
２８ａ、２８ｂ  軸受部
２９、３０  ストッパー
【図１】
0003109185.tif 000003
【図２】
0003109185.tif 000004
【図３】
0003109185.tif 000005
【図４】
0003109185.tif 000006
【図５】
0003109185.tif 000007
【図６】
0003109185.tif 000008
【図７】
0003109185.tif 000009